【手続補正書】
【提出日】平成24年4月2日(2012.4.2)
【手続補正１】
【補正対象書類名】明細書
【補正対象項目名】００１４
【補正方法】変更
【補正の内容】
【００１４】
本発明の側面はまた、冷媒組成物のためのキットを対象とし、該キットは、ヒドロフルオロカーボンを含みＧＷＰ約１０未満およびＯＤＰ約ゼロを有する冷媒成分；ならびに冷媒システムにおける１つ以上の機構部分の摩耗を低減するための潤滑剤を含む潤滑剤成分；を含む。該キットは、酸捕捉剤を更に含み、該酸捕捉剤は、シロキサン、活性化された芳香族化合物、またはこれらの任意の混合物を含む。冷媒成分が酸捕捉剤を含むか；潤滑剤成分が酸捕捉剤を含むか；該キットが酸捕捉剤を含む酸捕捉剤成分を更に含むか；またはこれらの任意の組合せである。
【手続補正２】
【補正対象書類名】特許請求の範囲
【補正対象項目名】全文
【補正方法】変更
【補正の内容】
【特許請求の範囲】
【請求項１】
エアコンディショナーにおいて使用するための改善された冷媒組成物であって：
ｉ）フルオロカーボンを含み該フルオロカーボンが冷媒組成物の少なくとも５０質量％の濃度で存在する、冷媒；
ｉｉ）冷媒システムにおける１つ以上の機構部分の摩耗を低減する潤滑剤；および
ｉｉｉ）シロキサン、活性化された芳香族化合物、またはこれらの任意の混合物、を含む酸捕捉剤；
を含む、改善された冷媒組成物。
【請求項２】
酸捕捉剤が、フリーデル−クラフツ付加反応に対して活性化された芳香族分子を含む、請求項１に記載の改善された冷媒組成物。
【請求項３】
酸捕捉剤が、少なくとも１つのシロキシ官能基を含有する分子を含む、請求項１または２に記載の改善された冷媒組成物。
【請求項４】
酸捕捉剤がシロキサンを含み、かつフルオロカーボンがヒドロフルオロカーボンを含む、請求項１〜３のいずれかに記載の冷媒組成物。
【請求項５】
シロキサンが、１〜１２個の炭素原子を含有するアルキルシロキサンであり、該シロキサンが、冷媒組成物の総質量基準で０．００５０質量％〜１０質量％の濃度で存在し、そして酸捕捉剤がフルオロアルキルポリシロキサンではない、請求項１〜４のいずれかに記載の冷媒組成物。
【請求項６】
シロキサンが、ポリジメチルシロキサン、ヘキサメチルジシロキサン、またはこれらの任意の混合物からなる群から選択される、請求項１〜５のいずれかに記載の冷媒組成物。
【請求項７】
シロキサンがヘキサメチルジシロキサンを含む、請求項１〜６のいずれかに記載の冷媒組成物。
【請求項８】
ｉ）冷媒組成物が、ＡＮＳＩ  ＡＳＨＲＡＥ  ９７による１４日間１７５℃でのアルミニウム、銅および鉄の金属ストリップでのエージングの後に１つの液相を有し；
ｉｉ）冷媒組成物が、ＡＮＳＩ  ＡＳＨＲＡＥ  ９７による１４日間１７５℃でのアルミニウム、銅および鉄の金属ストリップでのエージングの後に総酸価３．３ｍｇＫＯＨ／ｇ未満を有し；または、
ｉｉｉ）ｉ）およびｉｉ）の両者であり；そして、
フルオロカーボンがヒドロフルオロカーボンを含み、かつ潤滑剤およびヒドロフルオロカーボンが０℃〜４０℃で混和可能である、請求項１〜７のいずれかに記載の改善された冷媒組成物。
【請求項９】
フルオロカーボンが、分子当たり３〜１２個の炭素原子および少なくとも３個のフッ素原子を含有するヒドロフルオロカーボンを含み、そして該ヒドロフルオロカーボンが、地球温暖化係数（ＧＷＰ）１０未満を有する、請求項１〜８のいずれかに記載の冷媒組成物。
【請求項１０】
フルオロカーボンが、冷媒組成物の総質量基準で少なくとも７０質量％の濃度で存在する、請求項１〜９のいずれかに記載の冷媒組成物。
【請求項１１】
潤滑剤が第１のポリアルキレングリコールを含み、該第１のポリアルキレングリコールが、第１のポリアルキレングリコールモノオール、ポリアルキレンジオールまたはこれらの任意の組合せを含む、請求項１〜１０のいずれかに記載の冷媒組成物。
【請求項１２】
第１のポリアルキレングリコールが、プロピレンオキサイドホモポリマーまたはポリエチレンオキサイドホモポリマーであって式Ｉ：
Ｚ−［−（ＣＨ2−ＣＨ（Ｒ1）−Ｏ−）n−Ｒ2］p  （式Ｉ）
（式中、ｐは１〜８の範囲の整数であり、ｎは１５〜１００の平均値を有し、Ｒ1はＨまたはＣＨ3であり、Ｒ2はＨまたは１〜６炭素原子のアルキル基であり、そしてＺはｐ活性水素を有する化合物の残基である。）
で表されるものを含む、請求項１１に記載の冷媒組成物。
【請求項１３】
第１のポリアルキレングリコールが、プロピレンオキサイドとエチレンオキサイドとのランダムコポリマーを含む、請求項１１または１２に記載の冷媒組成物。
【請求項１４】
シロキサンがアルキルシロキサン、アリールシロキサン、またはアリールおよびアルキルの置換基の混合物を含有するシロキサンを含む、請求項１〜１３のいずれかに記載の冷媒組成物。
【請求項１５】
フルオロカーボンが、ＧＷＰ１０未満およびＯＤＰ約ゼロを有するヒドロフルオロカーボンを含み、潤滑剤が、第１のポリアルキレングリコールを含み、そして酸捕捉剤が、第２のポリアルキレングリコールと、シロキサンまたはトリアルキルシリルクロリドのいずれかとの反応生成物である付加物を含むことにより該付加物が少なくとも１つのシロキシ基を含むものであり、該冷媒組成物は、
ｉ）ＡＮＳＩ  ＡＳＨＲＡＥ  ９７による１４日間１７５℃でのアルミニウム、銅および鉄の金属ストリップでのエージングの後に１つの液相を有するか；または
ｉｉ）ＡＮＳＩ  ＡＳＨＲＡＥ  ９７による１４日間１７５℃でのアルミニウム、銅および鉄の金属ストリップでのエージングの後に総酸価３．３ｍｇＫＯＨ／ｇ未満を有するか；
のいずれかまたは両者を示し、該第１のポリアルキレングリコールおよび該ヒドロフルオロカーボンが、−４０℃〜６０℃で混和可能である、請求項１に記載の冷媒組成物。
【請求項１６】
付加物が、第２のポリアルキレングリコールとシリルクロリドとの反応生成物を含む、請求項１５に記載の冷媒組成物。
【請求項１７】
シリルクロリドが、式ＩＩ：
【化１】
2011516671.tif 000001
（式中、Ｒ3、Ｒ4、Ｒ5はアルキル、芳香族、アリル、または水素であり、かつ各々が０〜４個の炭素原子を含有する。）
の構造を有する、請求項１６に記載の冷媒組成物。
【請求項１８】
シリルクロリドがトリメチルシリルクロリドを含む、請求項１７に記載の冷媒組成物。
【請求項１９】
酸捕捉剤が、式ＩＩＩ：
【化２】
2011516671.tif 000002
（式中、ｐは、１〜８の範囲の整数であり、
ｎの平均値は１５〜１００の範囲であり、
Ｒ9はＨまたはＣＨ3であり、Ｒ6、Ｒ7、Ｒ8は各々が１〜１００個の炭素原子を含有するアルキル基、１〜１００個の炭素原子を含有するアリール基、またはこれらの任意の組合せであり、そして
Ｚは、ｐ活性水素を有する化合物の残基である。）
で与えられる構造を有するシロキサンを含む、請求項１に記載の冷媒組成物。
【請求項２０】
請求項１〜１９のいずれかに記載の冷媒組成物のためのキットであって：
ｉ）ヒドロフルオロカーボンを含みＧＷＰ１０未満およびＯＤＰ約ゼロを有する冷媒成分；ならびに
ｉｉ）冷媒システムにおける１つ以上の機構部分の摩耗を低減するための潤滑剤を含む潤滑剤成分；
を含み、該キットが、酸捕捉剤を更に含み、該酸捕捉剤が、シロキサン、活性化された芳香族化合物、またはこれらの任意の混合物を含み；
該冷媒成分が酸捕捉剤を含むか、該潤滑剤成分が酸捕捉剤を含むか、該キットが、酸捕捉剤を含む酸捕捉剤成分を含むか、またはこれらの任意の組合せである、キット。